(57)【要約】【課題】ユーザが携帯端末を使って簡単に合成画像を入手できる画像合成サーバ、及びこのような画像合成サーバを備えた画像合成システムの提供。【解決手段】携帯端末から通信回線を介してユーザ画像を受信するユーザ画像受信手段と、ユーザ画像受信手段によって受信したユーザ画像を記録するユーザ画像記録手段と、ユーザ画像記録手段に記録されたユーザ画像と合成させるマスタ画像を記録するマスタ画像記録手段と、ユーザ画像記録手段に記録されたユーザ画像とマスタ画像記録手段に記録されたマスタ画像とを合成させる画像合成手段と、携帯端末の電子メールアドレスを含むユーザ情報を記録するユーザ情報記録手段と、画像合成手段によって合成された合成画像に関する情報を、ユーザ情報記録手段に電子メールアドレスが記録された携帯端末に通信回線を介して送信する合成画像情報送信手段とを備える画像合成サーバ。【選択図】図３
2010081042.tif 000002
【特許請求の範囲】
【請求項１】
携帯端末から通信回線を介してユーザ画像を受信するユーザ画像受信手段と、
該ユーザ画像受信手段によって受信したユーザ画像を記録するユーザ画像記録手段と、
該ユーザ画像記録手段に記録されたユーザ画像と合成させるマスタ画像を記録するマスタ画像記録手段と、
前記ユーザ画像記録手段に記録されたユーザ画像と前記マスタ画像記録手段に記録されたマスタ画像とを合成させる画像合成手段と、
前記携帯端末の電子メールアドレスを含むユーザ情報を記録するユーザ情報記録手段と、
前記画像合成手段によって合成された合成画像に関する情報を、前記ユーザ情報記録手段に電子メールアドレスが記録された前記携帯端末に通信回線を介して送信する合成画像情報送信手段とを備える
画像合成サーバ。
【請求項２】
携帯端末から通信回線を介してユーザの希望合成条件情報を受信する希望合成条件情報受信手段を備え、
前記画像合成手段は、該希望合成条件情報受信手段によって受信した希望合成条件情報に応じたマスタ画像を前記マスタ画像記録手段から選び、選ばれたマスタ画像と前記ユーザ画像とを合成させる
請求項１に記載の画像合成サーバ。
【請求項３】
前記ユーザ画像は、ユーザの顔画像である
請求項１または請求項２に記載の画像合成サーバ。
【請求項４】
前記画像合成手段によって合成された合成画像に関する情報をユーザ別に記録する合成画像情報記録手段を備える
請求項１〜３のいずれか１つに記載の画像合成サーバ。
【請求項５】
通信回線を介して画像合成サーバにユーザ画像を送信するユーザ画像送信手段を有する携帯端末と、
該ユーザ画像送信手段によって送信されたユーザ画像を記録するユーザ画像記録手段と、
該ユーザ画像記録手段に記録されたユーザ画像と合成させるマスタ画像を記録するマスタ画像記録手段と、
前記ユーザ画像記録手段に記録されたユーザ画像と前記マスタ画像記録手段に記録されたマスタ画像とを合成させる画像合成手段と、
前記携帯端末の電子メールアドレスを含むユーザ情報を記録するユーザ情報記録手段と、
前記画像合成手段によって合成された合成画像に関する情報を、前記ユーザ情報記録手段に電子メールアドレスが記録された前記携帯端末に通信回線を介して送信する合成画像情報送信手段とを有する画像合成サーバとを備え、
前記携帯端末と、該携帯端末と通信可能な前記画像合成サーバとによって画像を合成する画像合成システム。
【発明の詳細な説明】
【技術分野】
【０００１】
本発明は画像合成サーバ及び画像合成システムに関する。詳しくは、携帯電話機から送信された画像を処理して処理済の画像を携帯電話機へ返信する、画像合成サーバ及び画像合成システムに係るものである。
【背景技術】
【０００２】
電気的に画像を記録するデジタルカメラは、撮影した画像を容易に加工することができるという利点があり、このような加工容易性という利点を利用して、デジタルカメラで撮影した画像を利用して合成写真を作成する技術が提案されている。
例えば、特許文献１には、デジタルカメラで撮影した画像の中から、複数の気に入った画像を選択し、加工することによって１枚のオリジナルな画像を作成する、街頭設置の端末による画像加工システムが記載されている。
【０００３】
【特許文献１】特開２０００−１６８１８７号公報
【発明の開示】
【発明が解決しようとする課題】
【０００４】
しかしながら、従来の合成写真の作成システムは、画像合成に関する専門的な知識が必要であったり、操作が複雑で面倒であったりして、必ずしもユーザが簡単な操作で利用できるシステムではないという問題があった。
【０００５】
また、日本では携帯電話機の出荷台数が１億台を突破し、携帯電話機は国民の日常生活に欠かせない持ち物の第１位にまで躍進した。そして、デジタルカメラ付きの携帯電話機も広く普及しており、ユーザは、携帯電話機で撮影した画像を、インターネットを介して他の携帯電話機等の情報端末に簡単に送ることができるようになった。そのため、携帯電話機で撮影された画像をリアルタイムでしかも簡単に加工するモバイルコンテンツが望まれていた。
【０００６】
本発明は、以上の点に鑑みて創案されたものであり、ユーザが携帯端末を使って簡単に合成画像を入手できる画像合成サーバ、及びこのような画像合成サーバを備えた画像合成システムを提供することを目的とする。
【課題を解決するための手段】
【０００７】
上記の目的を達成するために、本発明の画像合成サーバは、携帯端末から通信回線を介してユーザ画像を受信するユーザ画像受信手段と、該ユーザ画像受信手段によって受信したユーザ画像を記録するユーザ画像記録手段と、該ユーザ画像記録手段に記録されたユーザ画像と合成させるマスタ画像を記録するマスタ画像記録手段と、前記ユーザ画像記録手段に記録されたユーザ画像と前記マスタ画像記録手段に記録されたマスタ画像とを合成させる画像合成手段と、前記携帯端末の電子メールアドレスを含むユーザ情報を記録するユーザ情報記録手段と、前記画像合成手段によって合成された合成画像に関する情報を、前記ユーザ情報記録手段に電子メールアドレスが記録された前記携帯端末に通信回線を介して送信する合成画像情報送信手段とを備える。
【０００８】
ここで、画像合成手段によって合成された合成画像に関する情報を、ユーザ情報記録手段に電子メールアドレスが記録された携帯端末に通信回線を介して送信する合成画像情報送信手段によって、ユーザは、携帯電話機からユーザ画像を単にサーバへ送るだけで、合成処理されたユーザの画像を携帯電話機に取り込むことができる。
【０００９】
また、本発明の画像合成サーバは、携帯端末から通信回線を介してユーザの希望合成条件情報を受信する希望合成条件情報受信手段を備え、画像合成手段は、希望合成条件情報受信手段によって受信した希望合成条件情報に応じたマスタ画像をマスタ画像記録手段から選び、選ばれたマスタ画像とユーザ画像とを合成させる場合、ユーザは、ユーザ自身が希望した条件の合成画像を携帯電話機に取り込むことができる。
【００１０】
更に、本発明の画像合成サーバにおいて、ユーザ画像は、ユーザの顔画像である場合、合成処理による変化を楽しみ易くなり、好ましい。
【００１１】
また、本発明の画像合成サーバは、画像合成手段によって合成された合成画像に関する情報をユーザ別に記録する合成画像情報記録手段を備える場合、ユーザは、ユーザ別に記録されたリアリティのある合成画像を、ソーシャルネットワークにおけるアバター等に利用したり、携帯電話機のメールにおけるデコレーション画像に利用したり、または、オンラインゲームのヴァーチャルヒーロー用画像やヒロイン用画像として利用することができる。
【００１２】
また、上記の目的を達成するために、本発明の画像合成システムは、通信回線を介して画像合成サーバにユーザ画像を送信するユーザ画像送信手段を有する携帯端末と、該ユーザ画像送信手段によって送信されたユーザ画像を記録するユーザ画像記録手段と、該ユーザ画像記録手段に記録されたユーザ画像と合成させるマスタ画像を記録するマスタ画像記録手段と、前記ユーザ画像記録手段に記録されたユーザ画像と前記マスタ画像記録手段に記録されたマスタ画像とを合成させる画像合成手段と、前記携帯端末の電子メールアドレスを含むユーザ情報を記録するユーザ情報記録手段と、前記画像合成手段によって合成された合成画像に関する情報を、前記ユーザ情報記録手段に電子メールアドレスが記録された前記携帯端末に通信回線を介して送信する合成画像情報送信手段とを有する画像合成サーバとを備え、前記携帯端末と、該携帯端末と通信可能な前記画像合成サーバとによって画像を合成するものである。
【発明の効果】
【００１３】
本発明に係る画像合成サーバによって、ユーザは携帯端末を使って簡単に合成画像を入手できる。
本発明に係る画像合成システムによって、ユーザは携帯端末を使って簡単に合成画像を入手できる。
【発明を実施するための最良の形態】
【００１４】
以下、本発明の実施の形態について図面を参照しながら説明し、本発明の理解に供する。
図１は、本発明を適用した画像合成システムの構成の一例を説明する概略図である。図１において、本発明の画像合成システム１は、画像合成サーバ２と、画像合成サーバ２とインターネット（通信回線の一例である。）１０を介して通信可能な携帯電話機（携帯端末の一例である。）３とを備える。
また、画像合成サーバ２は、携帯電話機３からインターネット１０を介して送信されたユーザの顔画像（ユーザ画像の一例である。）を記録するユーザ画像データベース（ユーザ画像記録手段の一例である。）４と、ユーザ画像データベース４に記録されたユーザの顔画像と合成させるマスタ画像を記録するマスタ画像データベース（マスタ画像記録手段の一例である。）５と、ユーザ画像データベース４に記録されたユーザの顔画像とマスタ画像データベース５に記録されたマスタ画像とを合成させる画像合成手段６と、ユーザ情報例えば、ユーザの顔画像を送信した携帯電話機３の電子メールアドレス、ユーザの氏名、ユーザのＩＤ、ユーザのパスワードを記録するユーザ情報データベース（ユーザ情報記録手段の一例である。）７と、画像合成手段６によって合成された合成画像に関する情報例えば合成画像表示用ＵＲＬを、ユーザ情報データベース７に電子メールアドレスが記録された携帯電話機３にインターネット１０を介して送信する合成画像情報送信手段８と、画像合成手段６によって合成された合成画像に関する情報をユーザ別に記録する合成画像情報データベース（合成画像情報記録手段の一例である。）９とを有する。
【００１５】
ここで、マスタ画像データベース５には、例えば、ユーザの顔画像を１０年前の顔画像や２０年後の顔画像へ変換するために各年代のマスタ画像や、痩せた顔、ハンサムな顔、多種類の髪型という希望の顔画像へ変換するために希望に応じたマスタ画像や、更に性転換した顔画像へ変換するためにユーザと同年代の異性の顔のマスタ画像が記録される。
【００１６】
また、携帯電話機３は、インターネット１０を介して画像合成サーバ２にユーザの顔画像を送信するユーザ画像送信手段１１と、インターネット１０を介して画像合成サーバ２にユーザの希望合成条件情報（例えば、好みの化粧、好みの髪型）を送信する希望合成条件情報送信手段１２とを有する。
【００１７】
図２は、本発明の画像合成システムの処理を説明するフロー図である。
ユーザが、自己の携帯電話機３から、本発明の画像合成サーバ２によって運営される携帯電話用サイトにアクセスし、携帯電話用サイトの画面に従って会員ＩＤを取得して会員登録した後、ユーザは、携帯電話用サイトの画面に従ってユーザの顔画像と希望合成条件情報を画像合成サーバ２へ送信する（ステップＳ１）。ここで、希望合成条件情報は、マスタ画像データベース５に記録された髪型等のマスタ画像を選択する形で送信されてもよいし、具体的に文字等で送信されてもよい。
次に、ユーザの顔画像と希望合成条件情報を受信した画像合成サーバ２は、受信した電子メールから送信者の電子メールアドレスを抜き出してユーザ情報データベース７に記録し、電子メールに添付されたユーザの顔画像をユーザ画像データベース４に記録しておくと共に、画像合成手段６によって、希望合成条件情報に従って、ユーザ画像データベース４に記録されたユーザの顔画像とマスタ画像データベース５に記録されたマスタ画像とを合成させる（ステップＳ２）。この場合、必要に応じて、ユーザの顔画像のサイズを、画像合成ソフトに対応する画像サイズに調整し、合成が終わったら、合成画像のサイズを一般的な携帯電話機の画像サイズに調整する。
そして、電子メールから抜き出されてユーザ情報データベース７に電子メールアドレスが記録された送信者の携帯電話機３へ、合成画像表示用ＵＲＬを付けた電子メールを自動送信する（ステップＳ３）。
そして、ユーザ別に合成画像に関する情報（合成画像、合成画像ファイル名、合成画像表示用ＵＲＬ等）を、必要に応じて合成画像情報データベース９に記録する（ステップＳ４）。
【００１８】
図３は、本発明の画像合成システムを簡略的に説明した図である。
図３に示すように、ユーザは、自己の携帯電話機３から、電子メールにユーザの合成前画像１３を添付して画像合成サーバ２へ送信し、画像合成サーバ２は、ユーザの希望（図３の場合、異なる性別への変換を希望。）に従いながら、画像合成サーバ２に記録された様々なマスタ画像を合成前画像１３と合成して、合成後画像１４を作成し、合成前画像１３を送信した携帯電話機３の電子メールアドレスへ、合成後画像１４が添付された電子メールまたは合成後画像１４を表示するＵＲＬを付けた電子メールを返信する。
【００１９】
また、画像合成サーバ２から携帯電話機３へ送信された合成画像は、携帯電話機３の表示画面に画像として表示され、また、合成画像はプリンターで印刷することができ、合成画像を写真やシールにすることもできる。
【００２０】
以上のように、ユーザは、自己の携帯電話機からユーザの顔画像を、インターネットを介して本発明の画像合成サーバへ送信するだけで、合成処理されたユーザの顔画像を自己の携帯電話機へ返信してもらえるので、ユーザは専門的な知識を必要とせず、携帯電話機を使って簡単な操作で自己の顔画像の合成画像を入手できる。
また、ユーザは、希望合成条件情報を画像合成サーバへ送信できるので、ユーザは、ユーザ自身が希望した条件の合成画像を携帯電話機に取り込むことができる。
【００２１】
また、ユーザ特に若年ユーザにとって興味が強い顔画像を合成処理するので、若年ユーザ層の利用者数増大を期待できる。
【００２２】
また、ユーザ別に合成画像に関する情報（合成画像、合成画像ファイル名、合成画像表示用ＵＲＬ等）を、画像合成サーバの合成画像情報データベースに記録しておくので、ユーザは、ユーザ別に記録されたリアリティのある合成画像を、ソーシャルネットワークにおけるアバター等に利用したり、携帯電話機のメールにおけるデコレーション画像に利用したり、または、オンラインゲームのヴァーチャルヒーロー用画像やヒロイン用画像として利用することができる。
【図面の簡単な説明】
【００２３】
【図１】本発明を適用した画像合成システムの構成の一例を説明する概略図である。
【図２】本発明の画像合成システムの処理を説明するフロー図である。
【図３】本発明の画像合成システムを簡略的に説明した図である。
【符号の説明】
【００２４】
１    画像合成システム
２    画像合成サーバ
３    携帯電話機
４    ユーザ画像データベース
５    マスタ画像データベース
６    画像合成手段
７    ユーザ情報データベース
８    合成画像情報送信手段
９    合成画像情報データベース
１０    インターネット
１１    ユーザ画像送信手段
１２    希望合成条件情報送信手段
１３    合成前画像
１４    合成後画像
【図１】
2010081042.tif 000003
【図２】
2010081042.tif 000004
【図３】
2010081042.tif 000005